(57)【要約】【課題】  構造が単純で、かつ隣合うケースを確実に連結することができる、物品収納ケースを提供すること。【解決手段】  上方に開口２を有する直方体形状の物品収納ケース１において、各側壁１ａ，１ａ，１ａ，１ａの開口縁外面に外方へ向けて張り出すフランジ３を形成すると共に、相対向する側壁１ａ，１ａの一方のフランジ３にリング１１の一部を配設し、他方のフランジ３に前記リング１１の他部を挿嵌させる係合溝１２を形成し、物品収納ケース１を並べた状態で、一方の物品収納ケース１の上記リング１１の他部を、他方の物品収納ケース１の上記係合溝１２に係合させて、相隣合うケース１，１を互いに結合させるようにした。【選択図】        図１
2005138878.tif 000002
【特許請求の範囲】
【請求項１】
上方に開口を有する直方体形状の物品収納ケースにおいて、各側壁の開口縁外面に外方
へ向けて張り出すフランジを形成すると共に、相対向する側壁の一方のフランジにリング
の一部を配設し、他方のフランジに前記リングの他部を挿嵌させる係合溝を形成し、物品
収納ケースを並べた状態で、一方の物品収納ケースの上記リングの他部を、他方の物品収
納ケースの上記係合溝に係合させて、相隣合うケースを互いに結合させるようにしたこと
を特徴とする、物品収納ケース。
【請求項２】
上記リングの一部を、上記一方のフランジに回動自在に配設したことを特徴とする、請
求項１に記載の物品収納ケース。
【請求項３】
上記一方のフランジに、上記リングの他部を収容する収容溝を形成したことを特徴とす
る、請求項２に記載の物品収納ケース。
【請求項４】
上記リングの一部を、上記一方のフランジに摺動自在に配設したことを特徴とする、請
求項１に記載の物品収納ケース。
【請求項５】
上記フランジの一方に、外方に向けて突出する突起または外方向けて開口する切欠きの
いずれか一方を形成し、上記フランジの他方に、外方に向けて突出する突起または外方に
向けて開口する切欠きのいずれか他方を形成し、物品収納ケースを並べた状態で、一方の
物品収納ケースの突起を、他方の物品収納ケースの切欠きに係合させるようにしたことを
特徴とする、請求項１、２、３又は４のいずれかに記載の物品収納ケース。
【請求項６】
上記フランジに棒状部材を挿入し得る孔を貫設したことを特徴とする、請求項１、２、
３、４又は５のいずれかに記載の物品収納ケース。
【請求項７】
上記ケースの底壁の４隅に脚を形成したことを特徴とする、請求項１、２、３、４、５
又は６のいずれかに記載の物品収納ケース。
【請求項８】
上記ケースの各側壁を下方に向かって内方へ傾斜するように形成すると共に、相対向す
る側壁に内部に突出するビードを形成し、該ケースを積み重ねた状態において、前記ビー
ドによって側壁内面に画成される下段のケースの凸状部に、前記ビードによって側壁外面
に画成される上段のケースの凹状部を嵌合させることによって、上段のケースを下段のケ
ース内に収容し、上段のケースを水平面上で１８０度回転させて下段のケースに積み重ね
た場合に、上段のケースの脚の底壁が下段のケースの上記ビードの上壁に載置されるよう
にしたことを特徴とする、請求項１、２、３、４、５、６又は７のいずれかに記載の物品
収納ケース。
【請求項９】
上記ケースの底壁及び脚の底壁に水抜き孔を形成したことを特徴とする、請求項１、２
、３、４、５、６、７又は８のいずれかに記載の物品収納ケース。
【発明の詳細な説明】
【技術分野】
【０００１】
本発明は、物品収納ケースに関し、詳しくは、ケースを並べて互いに連結することがで
きる物品収納ケースに関するものである。
【背景技術】
【０００２】
工場等において、部品を収納して保管・運搬するために、プラスチックによって型成形
された物品収納ケースが採用されている。そして、このようなケースには、ケースをパレ
ット上に並べて載置し、更には積み上げてフォークリフトによって運搬する際に、荷崩れ
を起さないようにケースを互いに連結させる連結手段を備えたものが知られている。
【０００３】
例えば、特許文献１に開示されている物品収納ケース（プラスチックコンテナ）では、
ケースの側面に連結手段として永久磁石を取り付け、隣合うケースを磁石の磁力によって
互いに連結させるようにしている。
【０００４】
また、特許文献２に開示された物品収納ケース（容器）では、ケースの上部開口縁部に
連結具を回動自在に取り付け、その連結具に突設したそれぞれの係止部を相手方ケースの
上縁及び連結具に係合させることによって、ケースを互いに連結させるようにしている。
【０００５】
【特許文献１】特開平７−５２９５０号公報
【特許文献２】特開平９−１６９３３９号公報
【発明の開示】
【発明が解決しようとする課題】
【０００６】
ところで、上記特許文献１に記載されたケースでは、永久磁石によってケースを互いに
結合させるため、結合が弱い。また、鉄製部品を収納するケースにあっては、部品が磁石
に吸着される場合があり、その都度、部品を磁石から取り除かなくてはならないため、作
業性が悪くなる。
【０００７】
一方、特許文献２に記載されたケースでは、載置兼保持軸部を相対向する側壁間に差渡
して配設し、それぞれの端部に連結具を配設しているため、連結手段が大掛かりになり、
構造も複雑になってコスト高と成っている。
【０００８】
また、一般的に使用されているプラスチックによって型成形された物品収納ケースは、
そのケース内に物品が収納されている状態では、相当の重量があるためにケースを風に晒
される屋外に置いたとしても、風によって吹き飛ばされることはないが、空の状態のケー
スの場合には、風に吹き飛ばされる虞があり、屋外に空のケースを置く場合には、風に吹
き飛ばされないように重りを載せる、或いはロープ等で縛る必要があった。
【０００９】
また、屋外に置いたケースが雨に晒された場合には、ケース内に水が溜まるため、使用
時においては水をケース内から排除する作業が必須になり、特にケース内に物品が収納さ
れている場合には、その中の水のみを排除する作業は極めて煩雑な作業となり、使用作業
性が悪いものであった。
【００１０】
また、空のケースを積み上げた状態で保管する場合には、物品を収納している場合と同
様に下に位置するケースの開口上縁に上段のケースの底面周縁を載置させるため、嵩張っ
てしまい、広い保管スペースを必要とするものであった。
【００１１】
更に、一般的なケースは、その底の下面全体が接地する形状を成しているため、収納し
た物品の重さによる経年変化によって底の中央部が下方に撓んだ場合には、接地状態が悪
くなり、平面上に置いた場合にぐらぐらして位置が定まらないことが生じていた。
【００１２】
本発明は、上記した従来の一般的なケースが有する種々の課題に鑑み成されたものであ
って、その目的は、構造が単純で、かつ隣合うケースを確実に連結することができ、また
ケースを安定して固定することができ、更にケース内に雨水等が溜まることなく、また空
のケースを保管する場合に嵩張ることなく、また経年変化によって底壁中央部が下方に撓
んでも確実な接地が保障される物品収納ケースを提供することにある。
【課題を解決するための手段】
【００１３】
上記した課題を解決するため、請求項１の本発明では、上方に開口を有する直方体形状
の物品収納ケースにおいて、各側壁の開口縁外面に外方へ向けて張り出すフランジを形成
すると共に、相対向する側壁の一方のフランジにリングの一部を配設し、他方のフランジ
に前記リングの他部を挿嵌させる係合溝を形成し、物品収納ケースを並べた状態で、一方
の物品収納ケースの上記リングの他部を、他方の物品収納ケースの上記係合溝に係合させ
て、相隣合うケースを互いに結合させるようにした。
【００１４】
また、請求項２の本発明では、上記請求項１の発明において、前記リングの一部を、前
記一方のフランジに回動自在に配設した物品収納ケースとした。
【００１５】
また、請求項３の本発明では、上記請求項２の発明において、前記一方のフランジに、
前記リングの他部を収容する収容溝を形成した物品収納ケースとした。
【００１６】
また、請求項４の本発明では、上記請求項１の発明において、前記リングの一部を、前
記一方のフランジに摺動自在に配設した物品収納ケースとした。
【００１７】
また、請求項５の本発明では、上記請求項１、２、３又は４のいずれかの発明において
、前記フランジの一方に、外方に向けて突出する突起または外方に向けて開口する切欠き
のいずれか一方を形成し、前記フランジの他方に、外方に向けて突出する突起または外方
向けて開口する切欠きのいずれか他方を形成し、物品収納ケースを並べた状態で、一方の
物品収納ケースの突起を、他方の物品収納ケースの切欠きに係合させるようにした物品収
納ケースとした。
【００１８】
また、請求項６の本発明では、上記請求項１、２、３、４又は５のいずれかの発明にお
いて、上記フランジに棒状部材を挿入し得る孔を貫設した物品収納ケースとした。
【００１９】
また、請求項７の本発明では、上記請求項１、２、３、４、５又は６のいずれかの発明
において、上記ケースの底壁の４隅に脚を形成した物品収納ケースとした。
【００２０】
また、請求項８の本発明では、上記請求項１、２、３、４、５、６又は７のいずれかの
発明において、上記ケースの各側壁を下方に向かって内方へ傾斜するように形成すると共
に、相対向する側壁に内部に突出するビードを形成し、該ケースを積み重ねた状態におい
て、前記ビードによって側壁内面に画成される下段のケースの凸状部に、前記ビードによ
って側壁外面に画成される上段のケースの凹状部を嵌合させることによって、上段のケー
スを下段のケース内に収容し、上段のケースを水平面上で１８０度回転させて下段のケー
スに積み重ねた場合に、上段のケースの脚の底壁が下段のケースの上記ビードの上壁に載
置されるようにした物品収納ケースとした。
【００２１】
また、請求項９の発明では、上記請求項１、２、３、４、５、６、７又は８のいずれか
の発明において、上記ケースの底壁及び脚の底壁に水抜き孔を形成した物品収納ケースと
した。
【発明の効果】
【００２２】
上記した請求項１の本発明に係る物品収納ケースによれば、ケースを互いに連結するた
めの係合手段が、リングと、ケースのフランジに形成された係合溝によって構成されてい
るため、構造が単純で、且つリングの取付けも容易であり、したがって、製造コストの低
減が図れ、しかも、結合も強固である効果が生じる。
【００２３】
また、上記した請求項２の本発明に係る物品収納ケースによれば、一方のケースのリン
グを回動することによって、対向する他方のケースの係合溝に係合させることができるの
で、結合作業が容易である。
【００２４】
また、上記した請求項３の本発明に係る物品収納ケースによれば、非結合状態において
、リングをケースのフランジ内に完全に収容できるので、邪魔になることはない。
【００２５】
また、上記した請求項４の本発明に係る物品収納ケースによれば、一方のケースのリン
グが、相手のケースの係合溝に脱離することなく確実に係合される。
【００２６】
また、上記した請求項５の本発明に係る物品収納ケースによれば、一方のケースの突起
を、相手のケースの切欠きに挿嵌させることによって、両ケースを位置決めすることがで
きるので、一方のケースのリングを、相手のケースの係合溝に容易に係合させることがで
きる。
【００２７】
また、上記した請求項６の本発明に係る物品収納ケースによれば、孔に棒状部材を挿入
し、該棒状部材の下端を地面に突き刺す、或いはケースを複数段積み重ねられた際の上下
方向に並ぶ孔に棒状部材又はロープを挿入し、ケースを上下方向に連結することにより、
風による飛散、また荷崩れなどを防止することができる。
【００２８】
また、上記した請求項７の本発明に係る物品収納ケースによれば、脚が接地されるので
、経年変化によってケースの底壁中央部が下方に垂れ下がっても、ケースを安定して接地
することができる。
【００２９】
また、上記した請求項８の本発明に係る物品収納ケースによれば、空の状態の下段のケ
ースに上段のケースを積み上げる場合に、上段のケースを下段のケース内に収容して積み
上げることができるので、嵩張ることなく保管することができる。
【００３０】
また、上記した請求項９の本発明に係る物品収納ケースによれば、水抜き孔から雨水等
を排出することができるので、雨水等を排除する作業を必要とすることなく、運搬に際し
ても重量の増大を招かない。
【発明を実施するための最良の形態】
【００３１】
以下に、上記した本発明に係る物品収納ケースの最良の実施の形態を、図面を参照しな
がら詳細に説明する。
【００３２】
ここで、図１は本発明に係る物品収納ケースを示した斜視図、図２は図１におけるＡ−
Ａ線に沿う部分の断面図、図３は図１におけるＢ−Ｂ線に沿う部分の断面図、図４は図１
におけるＣ−Ｃ線に沿う部分の断面図である。また、図５は図１の物品収納ケースの底面
図、図６は図１の物品収納ケースを多数並べて互いに結合させた状態を示した斜視図であ
る。また、図７は図１の物品収納ケースの連結手段を拡大して示した部分斜視図である。
また、図８は図７の連結手段によってケースを互いに結合した状態を示した断面図である
。図９は図１の物品収納ケースを重ねて保管する状態を示した斜視図、図１０は図９にお
けるＤ−Ｄ線に沿う部分の断面図である。また、図１１は図１の物品収納ケースに物品を
収納した状態でケースを重ねた状態を示した斜視図、図１２は図１１におけるＥ−Ｅ線に
沿う部分の断面図である。また、図１３は本発明に係る物品収納ケースにおける連結手段
の変形例を示した部分斜視図である。
【００３３】
図示した本発明に係る物品収納ケース１は、例えばプラスチックによって一体成形され
たもので、図１に示すように、直方体形状で、上方に開口２を有している。そして、この
物品収納ケース１は、開口２の周縁の側壁１ａに外方に向けて延設したフランジ３を有し
、このフランジ３には、物品収納ケース１を並べて互いに結合するための結合手段４が形
成されている。また、このフランジ３には、角部に棒状部材５又はロープを挿入し得る孔
６が形成されている。
【００３４】
上記物品収納ケース１は、それぞれの側壁１ａ、１ａ、１ａ、１ａが、下方に向かって
内方へ傾斜するように形成されている。そして、相対向する側壁１ａ、１ａの内面には、
内部に突出させた２本のビード７、８がそれぞれ形成され、それらのビード７、８によっ
て、図４に示したように、側壁１ａの内面に対して突出する凸状部７ａ、８ａ、及び側壁
１ａの外面に対して凹んだ凹状部７ｂ、８ｂが画成されている。それらのビード７、８は
、図２に示したように、非対称（実施の形態では、側壁からの距離、及び幅が異なる）に
形成されている。
【００３５】
また、この物品収納ケース１では、底壁１ｂの４隅に脚９が形成されている。そして、
図５に示したように。該ケース１の底壁１ｂ及び脚９の底壁９ａには、水抜き孔１０がそ
れぞれ形成されている。
【００３６】
また、上記物品収納ケース１の結合手段４は、相対向する側壁１ａに形成されているフ
ランジ３、３における一方のフランジ３に、リング１１の一部が回動自在に配設され、他
方のフランジ３に、該リング１１の他部が挿嵌される係合溝１２が形成されている。また
、一方のフランジ３には、リング１１の他部をフランジ３内に収容するための収容溝１３
ａが形成されている。
【００３７】
上記リング１１は、金属棒を矩形状に屈曲させ、端部を、図８に示したように、フラン
ジ３の垂直方向に貫設させた孔１３に挿嵌させて、フランジ３に対して回動自在に保持さ
せている。
【００３８】
また、上記係合溝１２は、図７に示したように、フランジ３の外端に開口を有し、フラ
ンジ３の内方に向けて円弧状の溝を形成したものである。
【００３９】
さらに、上記物品収納ケース１では、相対向する側壁１ａ、１ａに形成されているフラ
ンジ３、３における一方のフランジ３に、図７に示したように、楔状の突起１４が形成さ
れ、他方のフランジ３に、前記突起１４を受け入れる切欠き１５が形成されている。
【００４０】
上記のように構成された本発明に係る物品収納ケース１は、図１に示したように、棒状
部材５を孔６に挿入し、その下端を地面に突き刺す、或いは複数段積み重ねられた本発明
に係る物品収納ケース１の上下方向に並ぶ孔６に、棒状部材５又はロープを挿入して物品
収納ケース１を上下方向に連結することにより、風による飛散、また荷崩れなどを防止す
ることができる。
【００４１】
また、上記物品収納ケース１は、図７に示したように、相隣合う一方のケース１のフラ
ンジ３に形成した突起１４を、他方のケース１のフランジ３に形成した切欠き１５に係合
させることによって、互いに位置決めし、一方のケース１のリング１１の一部を中心にし
て回動させて、該リング１１の他部を他方のケース１の係合溝１２に挿嵌させることによ
って、互いに強固に連結することができる。
このように、ケース１を互いに結合させれば、ケース１をパレット上に並べて載置し、
更には積み上げてフォークリフトによって運搬する際に、荷崩れが生じ難いものとなる。
【００４２】
更に、上記物品収納ケース１、１は、図９及び図１０に示したように、物品を収納して
いない空状態の保管時等においては、下段に位置するケース１の凸状部７ａ、８ａに、上
段ケース１の凹状部７ｂ、８ｂを嵌合させることによって積み重ねることができる。
この状態においては、上段のケース１が下段のケース１の内部に収容されることとなり
、高さ方向に嵩張ることが抑えられる。
【００４３】
また、上記物品収納ケース１、１は、図１１及び図１２に示したように、下段に位置す
るケース１に対して、上段のケース１を水平方向に１８０度回転させて、下段に位置する
物品収納ケース１に載置させることができる。
この状態においては、上段のケース１の脚９の底壁９ａが、下段のケース１のビード７
、８の上壁７ｃ、８ｃに載置されることとなり、ケース内部に収納した物品に力が掛から
ない状態でケース１、１を積み重ねられる。
【００４４】
なお、上記結合手段４は、図１３に示した変形例のように、リング１６の一部をフラン
ジ３に形成した長孔１７に挿嵌させて、リング１６をフランジ３の長手方向に摺動自在に
配設するとともに、係合溝１８を、フランジ３の外端に開口を有し、フランジ３の内方に
向けて延設させた溝部分１８ａと、フランジ３の長手方向に延設させた溝部分１８ｂとに
よってＬ字状の溝を形成したものであってもよい。
この結合手段４は、リング１６の他部を係合溝１８の溝部分１８ａに挿嵌し、一部を長
孔１７に沿って移動させることによって、他部を溝部分１８ｂに沿って移動させ、それに
よってリング１６を長孔１７と係合溝１８を連係させて、フランジ３、３を互いに結合さ
せることができる。
【００４５】
以上、本発明に係る物品収納ケースの実施の形態を説明したが、本発明は、何ら既述の
実施の形態に限定されず、特許請求の範囲に記載した本発明の技術的思想の範囲において
、種々の変形及び変更が可能である。
【００４６】
例えば、上記実施の形態においては、フランジ３に回動自在に配設されたリング１１を
、金属棒を矩形状に屈曲させて形成したものにつき説明したが、図１４に示したように、
ボルト１９と、該ボルト１９の上下端に接続されたコ字形状に屈曲された板材２０とによ
ってリング１１を構成しても良く、また、フランジ３の長手方向に摺動自在に配設された
リング１６を、図１５に示したように、板材２１を矩形状に屈曲させて形成したものとし
ても良い。即ち、本発明において言うリングとは、相隣合うケースを互いに結合させるこ
とが出来るわっか状のものを指し、その形状、構造は何ら問わない。また、長辺方向の相
対向する側壁にビード７、８を形成したが、短辺方向の相対向する側壁にビードを形成し
ても良い。また、上記実施の形態においては、４方向全てのフランジ３に結合手段４を形
成したが、長辺方向のフランジにのみ結合手段を形成し、短辺方向のフランジは取っ手と
して利用しても良い。更に、上記実施の形態においては、ケースの４隅に形成した脚９を
底壁１ｂを凹ませて一体的に形成したが、ケースの底壁は平面とし、脚のみが下方に突出
した構成としても良い。また、本発明に係る物品収納ケースは、工場等における部品を収
納するケースばかりでなく、ビール瓶を収納するケース、更には野菜を収納するケース等
、収容する物品の種類は何ら問わない。また、材質も何ら限定されず、プラスチック製、
木製、金属製等の種々の材料を利用して本発明に係る物品収納ケースを製造することがで
きる。
【図面の簡単な説明】
【００４７】
【図１】本発明に係る物品収納ケースの一例を示した斜視図である。
【図２】図１のＡ−Ａ線に沿う部分の断面図である。
【図３】図１のＢ−Ｂ線に沿う部分の断面図である。
【図４】図１のＣ−Ｃ線に沿う部分の断面図である。
【図５】図１の物品収納ケースの底面図である。
【図６】図１の物品収納ケースを多数並べて互いに結合させた状態を示した斜視図である。
【図７】図１の物品収納ケースの連結手段を拡大して示した部分斜視図である。
【図８】図７に詳述したの連結手段によって物品収納ケースを互いに結合した状態を示した断面図である。
【図９】図１の物品収納ケースを空の状態でケースを重ねた状態を示した斜視図である。
【図１０】図９のＤ−Ｄ線に沿う部分の断面図である。
【図１１】図１の物品収納ケースに物品を収納した状態でケースを重ねた状態を示した斜視図である。
【図１２】図１１のＥ−Ｅ線に沿う部分の断面図である。
【図１３】本発明に係る物品収納ケースにおける連結手段の変形例を示した部分斜視図である。
【図１４】本発明に係る物品収納ケースにおけるリングの変形例を示した斜視図である。
【図１５】本発明に係る物品収納ケースにおけるリングの更に変形例を示した斜視図である。
【符号の説明】
【００４８】
１              物品収納ケース
１ａ            側壁
１ｂ            底壁
２              開口
３              フランジ
４              結合手段
５              棒状部材
６              孔
７、８          ビード
７ａ、８ａ      凸状部
７ｂ、８ｂ      凹状部
７ｃ、８ｃ      上壁
９              脚
９ａ            底壁
１０            水抜き孔
１１            リング
１２            係合溝
１３            孔
１３ａ          収容溝
１４            突起
１５            切欠き
１６            リング
１７            長孔
１８            係合溝
１８ａ、１８ｂ  溝部分
１９            リングを構成するボルト
２０            リングを構成するコ字形状に屈曲された板材
２１            リングを構成する矩形状に屈曲させた板材
【図１】
2005138878.tif 000003
【図２】
2005138878.tif 000004
【図３】
2005138878.tif 000005
【図４】
2005138878.tif 000006
【図５】
2005138878.tif 000007
【図６】
2005138878.tif 000008
【図７】
2005138878.tif 000009
【図８】
2005138878.tif 000010
【図９】
2005138878.tif 000011
【図１０】
2005138878.tif 000012
【図１１】
2005138878.tif 000013
【図１２】
2005138878.tif 000014
【図１３】
2005138878.tif 000015
【図１４】
2005138878.tif 000016
【図１５】
2005138878.tif 000017